(57)【要約】      （修正有）【課題】外部接続端子の数が増えた場合でも、共用化できるシールド構造を提供する。【解決手段】シールド構造１は略直方体の導電性を有するアース箱２と、接続端子部３を有する外部接続端子４と、を有し、アース箱２は２以上の外部接続端子４の側面に隣接してなり、アース箱２の側面はアース連結部５を有し、アース箱２は上面部に板バネ状のアース接続部６を切り起こしによって形成され、外部接続端子４の一部または外部接続端子４に接続される外部接続ケーブルの一部はグラウンド接続され、アース連結部５の一部は、グラウンド接続された外部接続端子４の一部または外部接続端子４に接続される外部接続ケーブルの一部と当接するように、外部接続端子４内に配置された、シールド構造１とする。【選択図】図１
2011233660.tif 000002
【特許請求の範囲】
【請求項１】
略直方体の導電性を有するアース箱と、
接続端子部を有する外部接続端子と、
を有し、
前記アース箱は２以上の前記外部接続端子の側面に隣接してなり、
前記アース箱の側面はアース連結部を有し、
前記アース箱は上面部に板バネ状のアース接続部を切り起こしによって形成され、
前記外部接続端子の一部、または前記外部接続端子に接続される外部接続ケーブルの一部はグラウンド接続され、
前記アース連結部の一部は、グラウンド接続された前記外部接続端子の一部、または前記外部接続端子に接続される外部接続ケーブルの一部と当接するように、前記外部接続端子内に配置された、
シールド構造。
【発明の詳細な説明】
【技術分野】
【０００１】
本発明はシールド構造に関する。詳しくは、２以上の外部端子が並列して形成された場合に外部端子周囲からの不要輻射を防ぐシールド構造に関する。
【背景技術】
【０００２】
近年、電子機器には多数の外部接続端子が設けられている。外部接続端子の接続端子部が電子機器の筐体の表面開口部から露出し、接続端子部にＬＡＮケーブル端子やＳＣＡＲＴケーブル端子などを接続することにより、外部機器との通信が可能となっている。
【０００３】
一般に、外部接続端子の外装と電子機器の筐体表面とは電気的に接続されている。通常、電子機器の筐体表面はアース板としての機能を有しているので、外部接続端子周辺からの不要な電磁波の輻射を避ける為に、外部接続端子の外装がアース接続されるのである。このような構造をシールド構造という。
【０００４】
図４は従来のシールド構造を表す図である。
【０００５】
シールドケース１０１によってシールドされた外部接続端子１０２において、シールドケース１０１に切り起こしからなる接触部材１０３を形成し、筐体面１０４と接触部材１０３とを接触させる技術が開示されている。
【０００６】
図５は従来の外部接続端子が筐体面に当接する様子を表す斜視図である。
【０００７】
このようにすれば、筐体面１０４が接触部材１０３と確実に接触し、外部接続端子１０２を容易にアース接続することができる。
【先行技術文献】
【特許文献】
【０００８】
【特許文献１】特開２００５−１０８８８１号公報
【発明の概要】
【発明が解決しようとする課題】
【０００９】
しかしながら前記従来の技術のようにすると、外部接続端子の数ごとに個別のシールド構造を形成する必要がある。
【００１０】
シールド構造の形成には多数の工程が別途必要となり、コスト面から多数形成することは望ましくない。
【００１１】
つまり、従来のシールド構造には外部接続端子の数が増えた場合はコスト面で望ましくないという問題があった。
【００１２】
本発明は、上記事情に鑑みてなされたものであって、複数の外部接続端子の周囲部を効率よくアース接続する、シールド構造を提供することを目的としている。
【課題を解決するための手段】
【００１３】
前記従来の課題を解決する為に、本発明のシールド構造は略直方体の導電性を有するアース箱と、接続端子部を有する外部接続端子と、を有し、前記アース箱は２以上の前記外部接続端子の側面に隣接してなり、前記アース箱の側面はアース連結部を有し、前記アース箱は上面部に板バネ状のアース接続部を切り起こしによって形成され、前記外部接続端子の一部、または前記外部接続端子に接続される外部接続ケーブルの一部はグラウンド接続され、前記アース連結部の一部は、グラウンド接続された前記外部接続端子の一部、または前記外部接続端子に接続される外部接続ケーブルの一部と当接するように、前記外部接続端子内に配置された、シールド構造とした。
【発明の効果】
【００１４】
本発明にかかるシールド構造によれば、外部接続端子ごとに必要だったシールド構造が共用化でき、省スペースかつ接続なアース接続が可能なので、複数の外部接続端子の周囲部を効率よくアース接続することができる。
【図面の簡単な説明】
【００１５】
【図１】実施の形態１にかかるシールド構造の上面図
【図２】実施の形態１にかかる外部接続ケーブルの側面図
【図３】実施の形態１におけるアース箱の、図１に示す一点鎖線における断面図
【図４】従来のシールド構造を表す図
【図５】従来のシールド構造が筐体面に当接する様子を表す斜視図
【発明を実施するための形態】
【００１６】
以下本発明の一実施の形態について図面を参照しながら説明する。
（実施の形態１）
以下図１から図３を参照しながら、実施の形態１について説明する。
【００１７】
図１は実施の形態１にかかるシールド構造の上面図である。シールド構造１は略直方体の導電性を有するアース箱２と、２つの接続端子部３を有する外部接続端子４を有する。なお、外部接続端子４は本実施の形態ではＳＣＡＲＴ端子を例に挙げて説明する。
【００１８】
外部接続端子４は例えばテレビジョン受信機などの基板上に形成され、外部のレコーダーやゲーム機器等との接続のために使用される。
【００１９】
アース箱２は２つの外部接続端子４の間に隣接して配置されている。また、アース箱２は側面から延出する４個のアース連結部５を有する。アース連結部５も導電性を有しており、外部接続端子４の内壁とそれぞれ２個ずつ接している。また、アース箱２の上面には略台形状の切り起こしであるアース接続部６が形成されている。アース接続部６は切り起こしによって形成されているので板バネの特性を有する。
【００２０】
アース連結部５は、外部接続端子４に接続される外部接続ケーブルのグラウンド端子と当接するように配置されている。図２を用いて詳細を示す。
【００２１】
図２は実施の形態１にかかる外部接続ケーブルの側面図である。外部接続ケーブル７は外部機器と外部接続端子４が形成された機器とを接続するためのケーブルであり、接続端子部３に対応した接続端子を有する。グラウンド端子８は外部接続ケーブル７の先端部の側壁を形成し、その電位は外部機器と外部接続端子４が形成された機器が接続され使用されている状態において設計上グラウンド電圧となる。外部接続ケーブル７が外部接続端子４に嵌合されるように接続されると、グラウンド端子８はアース連結部５と当接する。
【００２２】
シールド構造の作用を説明する。図３は実施の形態１におけるアース箱の、図１に示す一点鎖線における断面図である。バックカバー９は外部接続端子４を有する機器の筐体面である。バックカバー９は筐体とコンセントを通じてアース接続されている。バックカバー９には外部接続端子４の接続端子部３が表面から露出するように穴が形成されている。
【００２３】
バックカバー９はアース箱３および外部接続端子４の上面から押し付けるようにして機器に配置される。その際アース接続部６は板バネの特性を有しているのでバックカバー９と弾性接続される。よってバックカバー９とアース接続部６の電位は等しくなる。ここで、アース接続部６はアース箱２からの切り起こしなので、アース箱２全体もバックカバー９と電位が等しくなる。また、アース連結部５もアース箱２の側面に形成されているので、アース連結部５とバックカバー９の電位も等しくなる。また、アース連結部５は外部接続端子４内に配置されているので、外部接続端子４全体もバックカバー９と電位が等しくなる。そして、アース連結部５は外部接続ケーブル７が接続されると外部接続ケーブル７のグラウンド端子８と当接するので、グラウンド端子８もバックカバー９と電位が等しくなる。
【００２４】
よって、アース箱２と外部接続端子４が、アース接続されたバックカバー９と電位が等しくなり、シールド構造１全体がアース接続される。また、外部接続ケーブル７が接続された際も外部接続ケーブル７をアース接続することができる。
【００２５】
アース箱２は２つの外部接続端子４の間に配置され、外部接続端子４のグラウンド接続され得る箇所を互いに接続する、いわば共用のグラウンドスペースとして機能する。また、アース連結部５の一部を外部接続端子４内に配置することによって、シールド構造１全体の省スペース化を実現している。このようなアース箱２をシールド構造１に適用することによって、複数の外部接続端子４の周囲部を効率よくアース接続することができる。そして、外部接続端子４の周囲部をアース接続すると、シールド構造１から輻射され、バックカバー９から漏れる不要な電磁波を低減させることができる。
【００２６】
なお、本実施の形態では外部接続ケーブル７の一部である、グラウンド端子８がグラウンド接続される例を示したが、外部接続ケーブル７の一部がグラウンド接続されない場合でも、外部接続端子４の一部がグラウンド接続されるのであればその部位にアース連結部５を当接させれば、外部接続端子４の周囲部を効率よくアース接続できることに変わりはない。
【産業上の利用可能性】
【００２７】
本発明のシールド構造は不要輻射を低減することができるので、複数の外部接続端子を有する家庭用電気機器に適用されるシールド構造として有用である。
【符号の説明】
【００２８】
１    シールド構造
２    アース箱
３    接続端子部
４    外部接続端子
５    アース連結部
６    アース接続部
７    外部接続ケーブル
８    グラウンド端子
９    バックカバー
１０１  シールドケース
１０２  外部接続端子
１０３  接触部材
１０４  筐体面
【図４】
2011233660.tif 000003
【図５】
2011233660.tif 000004
【図１】
2011233660.tif 000005
【図２】
2011233660.tif 000006
【図３】
2011233660.tif 000007